(57)【特許請求の範囲】
【請求項１】
非常時用応急交通整理システムであって、本体を含み、
前記本体の中の上方には上空間が設けられ、前記本体の中部には中空間が設けられ、前記本体の下方には下空間が設けられ、前記上空間の前後左右内壁の中にはそれぞれ前内空間と、後内空間と、左内空間と、右内空間とが設けられ、前記前内空間と、前記後内空間と、前記左内空間と、前記右内空間とにはそれぞれ前ライトと、後ライトと、左ライトと、右ライトとが回転できるように設けられ、前記前ライトと、前記後ライトと、前記左ライトと、前記右ライトとが円柱型であり、前記前ライトと、前記後ライトと、前記左ライトと、前記右ライトとの円周面は赤色部分と、黄色部分、緑色部分とに分けられ、赤色部分が全面積の半分を占め、黄色部分と緑色部分がそれぞれ総面積の四分の一を占め、前記本体の左右側には第一指示装置が対称に設けられ、前記本体の前後側には第二指示装置が対称に設けられ、
非常時に、本交通整理システムは十字路の交通整理に使用されることができ、前記前ライトと、前記後ライトと、前記左ライトと、前記右ライトとの露出部分を制御することで、色で車と通行人に指示を与えられ、また、前記本体に設置された前記第一指示装置と前記第二指示装置との指示標識の変化により、車と通行人に秩序のいい交通整理を行うことができ、本交通整理システムは外部の動力源が必要なく、前記本体に回転できるように設置された揺動棒を一定の時間間隔で振ればいいのであることを特徴とする非常時用応急交通整理システム。
【請求項２】
前記前内空間の中には前記前ライトと固定的に連結された前短軸が回転できるように連結され、前記前短軸には第九傘歯車が固定的に連結され、前記第九傘歯車が第八傘歯車と噛合しており、前記第八傘歯車には前記前内空間の内壁と回転できるように連結された前横軸が固定的に連結され、前記前横軸が前記上空間の中に延びており、前記前横軸には左上傘歯車が固定的に連結され、前記後内空間の中には前記後ライトと固定的に連結された後短軸が回転できるように連結され、前記後短軸には第五傘歯車が固定的に連結され、前記第五傘歯車には第四傘歯車が噛合しており、前記第四傘歯車には前記後内空間の内壁と回転できるように連結された第一ロッドが固定的に連結され、前記第一ロッドは前記上空間の中に延びており、前記第一ロッドには第三傘歯車が固定的に連結されていることを特徴とする請求項１に記載の非常時用応急交通整理システム。
【請求項３】
前記左内空間の中には前記左ライトと固定的に連結された左短軸が回転できるように連結され、前記左短軸には第一傘歯車が固定的に連結され、前記第一傘歯車には第二傘歯車が噛合しており、前記第二傘歯車には前記左内空間の内壁と回転できるように連結された中横軸が固定的に連結され、前記中横軸が前記上空間を貫通し前記右内空間の中に延びており、前記中横軸には右上傘歯車が固定的に連結され、前記中横軸には第七傘歯車が固定的に連結され、前記第七傘歯車には第六傘歯車が噛合しており、前記第六傘歯車には前記右ライトと固定的に連結された右短軸が固定的に連結され、前記右短軸が前記右内空間と回転できるように連結されていることを特徴とする請求項２に記載の非常時用応急交通整理システム。
【請求項４】
前記第三傘歯車と前記左上傘歯車とには左下傘歯車が噛合しており、前記左下傘歯車には前記上空間の下壁と回転できるように連結された左長軸が固定的に連結され、前記左長軸が前記中空間を貫通し前記下空間に延びており、前記右上傘歯車には右下傘歯車が噛合しており、前記右下傘歯車には前記上空間の下壁と回転できるように連結された右長軸が回転できるように連結され、前記右長軸が前記中空間を貫通し前記下空間の中に延びており、前記中空間において前記左長軸には左上スプロケットが固定的に連結され、前記中空間において前記右長軸には右上スプロケットが固定的に連結され、前記左上スプロケットと前記右上スプロケットとが上チェーンによって伝動できるように連結されていることを特徴とする請求項３に記載の非常時用応急交通整理システム。
【請求項５】
前記下空間の中において前記右長軸には右傘歯車が固定的に連結され、前記右傘歯車には右扇形傘歯車が間欠的に噛合し、前記右扇形傘歯車には前記下空間の内壁と回転できるように連結された右外短ロッドが固定的に連結され、前記揺動棒が前記右外短ロッドと固定的に連結されていることを特徴とする請求項４に記載の非常時用応急交通整理システム。
【請求項６】
前記下空間において前記左長軸には左下スプロケットが固定的に連結され、前記左下スプロケットには下チェーンが伝動できるように連結され、前記下チェーンには右下スプロケットが伝動できるように連結され、前記右下スプロケットには前記下空間の下壁と回転できるように連結された中下短軸が固定的に連結され、前記中下短軸には左扇形傘歯車が固定的に連結され、前記左扇形傘歯車には中下傘歯車が間欠的に噛合しており、前記中下傘歯車には前記下空間の内壁と回転できるように連結された下長軸が固定的に連結され、前記下長軸には前下傘歯車が固定的に連結され、前記前下傘歯車には二つの後下傘歯車が噛合しており、二つの前記後下傘歯車が前後対称に設けられ、前記後下傘歯車には前記下空間の内壁と回転できるように連結された第二ロッドが固定的に連結されていることを特徴とする請求項５に記載の非常時用応急交通整理システム。
【請求項７】
前記第一指示装置の中には第一空間が設けられ、前記第一空間の中には前記下長軸と固定的に連結された第二内傘歯車が設けられ、前記第二内傘歯車には第一内傘歯車が噛合しており、前記第一内傘歯車には前記第一空間の内壁と回転できるように連結された第一指示軸が固定的に連結され、前記第一指示装置の上方において前記第一指示軸には第一指示板が固定的に連結され、前記第二指示装置の中には第二空間が設けられ、前記第二空間の中には前記第二ロッドと固定的に連結された第三内傘歯車が設けられ、前記第三内傘歯車には第四内傘歯車が噛合しており、前記第四内傘歯車には前記第二空間の内壁と回転できるように連結された第二指示軸が固定的に連結され、前記第二指示装置の上方において前記第二指示軸には第二指示板が固定的に連結されていることを特徴とする請求項６に記載の非常時用応急交通整理システム。
【請求項８】
前記第一指示板と前記第二指示板とが両面に標識が付いている指示板であり、通行面と通行止め面に分けられていることを特徴とする請求項１に記載の非常時用応急交通整理システム。
【発明の詳細な説明】
【技術分野】
【０００１】
本願発明は交通指示設備分野を取り上げて、具体的には非常時用応急交通整理システムである。
【背景技術】
【０００２】
道路は何本もあるが、人生は一回しかない。道路標識や交通信号機などは、周知の交通指示設備であり、これらは普通の指示設備に見えるが、日常では人々の安全を保護している。しかし、非常時にこれらの設備が役を果たさなくなるかもしれない。例えば、交通信号機が突然停電しまたは壊れることで、交通渋滞もしくは交通事故を引き起こし、恐ろしい結果をもたらし、周知のように、交通信号機のない十字路では、交通巡視員が手信号で交通整理を行っているが、これでは交通巡視員の作業強度が上げられる。以上の問題を解決するため、非常時用応急交通整理システムを設計する。
【先行技術文献】
【特許文献】
【０００３】
【特許文献１】中国特許出願公開第１０２２８００４０号明細書
【発明の概要】
【発明が解決しようとする課題】
【０００４】
本願発明の目的は非常時用応急交通整理システムを提供し、それは上記の現在の技術中の問題を解決できる。
【課題を解決するための手段】
【０００５】
上記の課題を解決するため、本願発明は以下の技術プランを採用する：本願発明の非常時用応急交通整理システムは、本体を含み、前記本体の中の上方には上空間が設けられ、前記本体の中部には中空間が設けられ、前記本体の下方には下空間が設けられ、前記上空間の前後左右内壁の中にはそれぞれ前内空間と、後内空間と、左内空間と、右内空間とが設けられ、前記前内空間と、前記後内空間と、前記左内空間と、前記右内空間とにはそれぞれ前ライトと、後ライトと、左ライトと、右ライトとが回転できるように設けられ、前記前ライトと、前記後ライトと、前記左ライトと、前記右ライトとが円柱型であり、前記前ライトと、前記後ライトと、前記左ライトと、前記右ライトとの円周面は赤色部分と、黄色部分、緑色部分とに分けられ、赤色部分が全面積の半分を占め、黄色部分と緑色部分がそれぞれ総面積の四分の一を占め、前記本体の左右側には第一指示装置が対称に設けられ、前記本体の前後側には第二指示装置が対称に設けられ、非常時に、本交通整理システムは十字路の交通整理に使用されることができ、前記前ライトと、前記後ライトと、前記左ライトと、前記右ライトとの露出部分を制御することで、色で車と通行人に指示を与えられ、また、前記本体に設置された前記第一指示装置と前記第二指示装置との指示標識の変化により、車と通行人に秩序のいい交通整理を行うことができ、本交通整理システムは外部の動力源が必要なく、前記本体に回転できるように設置された揺動棒を一定の時間間隔で振ればいいのである。
【０００６】
更の技術プラン、前記前内空間の中には前記前ライトと固定的に連結された前短軸が回転できるように連結され、前記前短軸には第九傘歯車が固定的に連結され、前記第九傘歯車が第八傘歯車と噛合しており、前記第八傘歯車には前記前内空間の内壁と回転できるように連結された前横軸が固定的に連結され、前記前横軸が前記上空間の中に延びており、前記前横軸には左上傘歯車が固定的に連結され、前記後内空間の中には前記後ライトと固定的に連結された後短軸が回転できるように連結され、前記後短軸には第五傘歯車が固定的に連結され、前記第五傘歯車には第四傘歯車が噛合しており、前記第四傘歯車には前記後内空間の内壁と回転できるように連結された第一ロッドが固定的に連結され、前記第一ロッドは前記上空間の中に延びており、前記第一ロッドには第三傘歯車が固定的に連結されている。
【０００７】
更の技術プラン、前記左内空間の中には前記左ライトと固定的に連結された左短軸が回転できるように連結され、前記左短軸には第一傘歯車が固定的に連結され、前記第一傘歯車には第二傘歯車が噛合しており、前記第二傘歯車には前記左内空間の内壁と回転できるように連結された中横軸が固定的に連結され、前記中横軸が前記上空間を貫通し前記右内空間の中に延びており、前記中横軸には右上傘歯車が固定的に連結され、前記中横軸には第七傘歯車が固定的に連結され、前記第七傘歯車には第六傘歯車が噛合しており、前記第六傘歯車には前記右ライトと固定的に連結された右短軸が固定的に連結され、前記右短軸が前記右内空間と回転できるように連結されている。
【０００８】
更の技術プラン、前記第三傘歯車と前記左上傘歯車とには左下傘歯車が噛合しており、前記左下傘歯車には前記上空間の下壁と回転できるように連結された左長軸が固定的に連結され、前記左長軸が前記中空間を貫通し前記下空間に延びており、前記右上傘歯車には右下傘歯車が噛合しており、前記右下傘歯車には前記上空間の下壁と回転できるように連結された右長軸が回転できるように連結され、前記右長軸が前記中空間を貫通し前記下空間の中に延びており、前記中空間において前記左長軸には左上スプロケットが固定的に連結され、前記中空間において前記右長軸には右上スプロケットが固定的に連結され、前記左上スプロケットと前記右上スプロケットとが上チェーンによって伝動できるように連結されている。
【０００９】
更の技術プラン、前記下空間の中において前記右長軸には右傘歯車が固定的に連結され、前記右傘歯車には右扇形傘歯車が間欠的に噛合し、前記右扇形傘歯車には前記下空間の内壁と回転できるように連結された右外短ロッドが固定的に連結され、前記揺動棒が前記右外短ロッドと固定的に連結されている。
【００１０】
更の技術プラン、前記下空間において前記左長軸には左下スプロケットが固定的に連結され、前記左下スプロケットには下チェーンが伝動できるように連結され、前記下チェーンには右下スプロケットが伝動できるように連結され、前記右下スプロケットには前記下空間の下壁と回転できるように連結された中下短軸が固定的に連結され、前記中下短軸には左扇形傘歯車が固定的に連結され、前記左扇形傘歯車には中下傘歯車が間欠的に噛合しており、前記中下傘歯車には前記下空間の内壁と回転できるように連結された下長軸が固定的に連結され、前記下長軸には前下傘歯車が固定的に連結され、前記前下傘歯車には二つの後下傘歯車が噛合しており、二つの前記後下傘歯車が前後対称に設けられ、前記後下傘歯車には前記下空間の内壁と回転できるように連結された第二ロッドが固定的に連結されている。
【００１１】
更の技術プラン、前記第一指示装置の中には第一空間が設けられ、前記第一空間の中には前記下長軸と固定的に連結された第二内傘歯車が設けられ、前記第二内傘歯車には第一内傘歯車が噛合しており、前記第一内傘歯車には前記第一空間の内壁と回転できるように連結された第一指示軸が固定的に連結され、前記第一指示装置の上方において前記第一指示軸には第一指示板が固定的に連結され、前記第二指示装置の中には第二空間が設けられ、前記第二空間の中には前記第二ロッドと固定的に連結された第三内傘歯車が設けられ、前記第三内傘歯車には第四内傘歯車が噛合しており、前記第四内傘歯車には前記第二空間の内壁と回転できるように連結された第二指示軸が固定的に連結され、前記第二指示装置の上方において前記第二指示軸には第二指示板が固定的に連結されている。
【００１２】
更の技術プラン、前記第一指示板と前記第二指示板とが両面に標識が付いている指示板であり、通行面と通行止め面に分けられている。
【発明の効果】
【００１３】
本交通整理システムは交通信号機の原理に基づき、異なった色の信号で交通整理を行い、非常時に交通信号機が役を果たさないことを有効に解決し、車と通行人の安全を保障し、交通整理に大量な人力を節約し、交通巡視員の体力労働の量を減らし、移動装置が加えられた場合、本交通整理システムはどこまでも便利に移動できる。
【図面の簡単な説明】
【００１４】
下記に図１〜５をあわせて本願発明について詳しく説明し、便利に説明するために、下記の方向を以下のように規定する：図１は本願発明装置の正面図であり、以下に述べる上下左右前後の方向と図１の自身投影関係の上下左右前後の方向とが一致である。
【００１５】
【図１】図１は本願発明の非常時用応急交通整理システムの全体構成略図
【図２】図２は図１のＡ―Ａの断面構成略図
【図３】図３は図１のＢ―Ｂの断面構成略図
【図４】図４は図１のＣの拡大構成略図
【図５】図５は図３のＤの拡大構成略図
【発明を実施するための形態】
【００１６】
本願発明は非常時用応急交通整理システムを取り上げ、主に交通整理設備に適用される。
【００１７】
本願発明の非常時用応急交通整理システムは、本体１０を含み、前記本体１０の中の上方には上空間１１が設けられ、前記本体１０の中部には中空間２５が設けられ、前記本体１０の下方には下空間４３が設けられ、前記上空間１１の前後左右内壁の中にはそれぞれ前内空間５７と、後内空間５３と、左内空間４７と、右内空間５６とが設けられ、前記前内空間５７と、前記後内空間５３と、前記左内空間４７と、前記右内空間５６とにはそれぞれ前ライト４４と、後ライト１４と、左ライト１２と、右ライト２０とが回転できるように設けられ、前記前ライト４４と、前記後ライト１４と、前記左ライト１２と、前記右ライト２０とが円柱型であり、前記前ライト４４と、前記後ライト１４と、前記左ライト１２と、前記右ライト２０との円周面は赤色部分と、黄色部分、緑色部分とに分けられ、赤色部分が全面積の半分を占め、黄色部分と緑色部分がそれぞれ総面積の四分の一を占め、前記本体１０の左右側には第一指示装置２９が対称に設けられ、前記本体１０の前後側には第二指示装置６１が対称に設けられ、非常時に、本交通整理システムは十字路の交通整理に使用されることができ、前記前ライト４４と、前記後ライト１４と、前記左ライト１２と、前記右ライト２０との露出部分を制御することで、色で車と通行人に指示を与えられ、また、前記本体１０に設置された前記第一指示装置２９と前記第二指示装置６１との指示標識の変化により、車と通行人に秩序のいい交通整理を行うことができ、本交通整理システムは外部の動力源が必要なく、前記本体１０に回転できるように設置された揺動棒４２を一定の時間間隔で振ればいいのである。
【００１８】
有益に、前記前内空間５７の中には前記前ライト４４と固定的に連結された前短軸５９が回転できるように連結され、前記前短軸５９には第九傘歯車６０が固定的に連結され、前記第九傘歯車６０が第八傘歯車５８と噛合しており、前記第八傘歯車５８には前記前内空間５７の内壁と回転できるように連結された前横軸１８が固定的に連結され、前記前横軸１８が前記上空間１１の中に延びており、前記前横軸１８には左上傘歯車１７が固定的に連結され、前記後内空間５３の中には前記後ライト１４と固定的に連結された後短軸５１が回転できるように連結され、前記後短軸５１には第五傘歯車５２が固定的に連結され、前記第五傘歯車５２には第四傘歯車５０が噛合しており、前記第四傘歯車５０には前記後内空間５３の内壁と回転できるように連結された第一ロッド４９が固定的に連結され、前記第一ロッド４９は前記上空間１１の中に延びており、前記第一ロッド４９には第三傘歯車４８が固定的に連結されている。
【００１９】
有益に、前記左内空間４７の中には前記左ライト１２と固定的に連結された左短軸１３が回転できるように連結され、前記左短軸１３には第一傘歯車４５が固定的に連結され、前記第一傘歯車４５には第二傘歯車４６が噛合しており、前記第二傘歯車４６には前記左内空間４７の内壁と回転できるように連結された中横軸１５が固定的に連結され、前記中横軸１５が前記上空間１１を貫通し前記右内空間５６の中に延びており、前記中横軸１５には右上傘歯車１６が固定的に連結され、前記中横軸１５には第七傘歯車５５が固定的に連結され、前記第七傘歯車５５には第六傘歯車５４が噛合しており、前記第六傘歯車５４には前記右ライト２０と固定的に連結された右短軸２１が固定的に連結され、前記右短軸２１が前記右内空間５６と回転できるように連結されている。
【００２０】
有益に、前記第三傘歯車４８と前記左上傘歯車１７とには左下傘歯車２２が噛合しており、前記左下傘歯車２２には前記上空間１１の下壁と回転できるように連結された左長軸２３が固定的に連結され、前記左長軸２３が前記中空間２５を貫通し前記下空間４３に延びており、前記右上傘歯車１６には右下傘歯車１９が噛合しており、前記右下傘歯車１９には前記上空間１１の下壁と回転できるように連結された右長軸２４が回転できるように連結され、前記右長軸２４が前記中空間２５を貫通し前記下空間４３の中に延びており、前記中空間２５において前記左長軸２３には左上スプロケット２６が固定的に連結され、前記中空間２５において前記右長軸２４には右上スプロケット２８が固定的に連結され、前記左上スプロケット２６と前記右上スプロケット２８とが上チェーン２７によって伝動できるように連結されている。
【００２１】
有益に、前記下空間４３の中において前記右長軸２４には右傘歯車４０が固定的に連結され、前記右傘歯車４０には右扇形傘歯車３９が間欠的に噛合し、前記右扇形傘歯車３９には前記下空間４３の内壁と回転できるように連結された右外短ロッド４１が固定的に連結され、前記揺動棒４２が前記右外短ロッド４１と固定的に連結されている。
【００２２】
有益に、前記下空間４３において前記左長軸２３には左下スプロケット３１が固定的に連結され、前記左下スプロケット３１には下チェーン３２が伝動できるように連結され、前記下チェーン３２には右下スプロケット３５が伝動できるように連結され、前記右下スプロケット３５には前記下空間４３の下壁と回転できるように連結された中下短軸３６が固定的に連結され、前記中下短軸３６には左扇形傘歯車３４が固定的に連結され、前記左扇形傘歯車３４には中下傘歯車３３が間欠的に噛合しており、前記中下傘歯車３３には前記下空間４３の内壁と回転できるように連結された下長軸３０が固定的に連結され、前記下長軸３０には前下傘歯車３７が固定的に連結され、前記前下傘歯車３７には二つの後下傘歯車３８が噛合しており、二つの前記後下傘歯車３８が前後対称に設けられ、前記後下傘歯車３８には前記下空間４３の内壁と回転できるように連結された第二ロッド６２が固定的に連結されている。
【００２３】
有益に、前記第一指示装置２９の中には第一空間６３が設けられ、前記第一空間６３の中には前記下長軸３０と固定的に連結された第二内傘歯車６７が設けられ、前記第二内傘歯車６７には第一内傘歯車６６が噛合しており、前記第一内傘歯車６６には前記第一空間６３の内壁と回転できるように連結された第一指示軸６５が固定的に連結され、前記第一指示装置２９の上方において前記第一指示軸６５には第一指示板６４が固定的に連結され、前記第二指示装置６１の中には第二空間６８が設けられ、前記第二空間６８の中には前記第二ロッド６２と固定的に連結された第三内傘歯車６９が設けられ、前記第三内傘歯車６９には第四内傘歯車７０が噛合しており、前記第四内傘歯車７０には前記第二空間６８の内壁と回転できるように連結された第二指示軸７１が固定的に連結され、前記第二指示装置６１の上方において前記第二指示軸７１には第二指示板７２が固定的に連結されている。
【００２４】
有益に、前記第一指示板６４と前記第二指示板７２とが両面に標識が付いている指示板であり、通行面と通行止め面に分けられている。
【００２５】
以下に図１〜５を合わせて本交通整理システムの使用手順を詳しく説明する。
１、作動時、前記揺動棒４２を揺動させ、前記右外短ロッド４１が駆動されて回転し、この時前記右扇形傘歯車３９が前記右傘歯車４０と噛合し、伝動により、前記前ライト４４と、前記後ライト１４と、前記左ライト１２と、前記右ライト２０とが駆動されて回転し、この時前記前ライト４４と、前記後ライト１４と、前記左ライト１２と、前記右ライト２０とが表示した色はそれぞれ赤、赤、緑、緑であり、この時前記第一指示板６４に通行が表示され、前記第二指示板７２に通行止めが表示される。
２、前記右扇形傘歯車３９が二回目に前記右傘歯車４０と噛合した後、伝動により、前記前ライト４４と、前記後ライト１４と、前記左ライト１２と、前記右ライト２０とが再び駆動されて回転し、この時前記前ライト４４と、前記後ライト１４と、前記左ライト１２と、前記右ライト２０とが表示した色はそれぞれ赤、赤、黄色、黄色であり、前記第一指示板６４に通行が表示され、前記第二指示板７２に通行止めが表示される。
３、前記右扇形傘歯車３９が三回目に前記右傘歯車４０と噛合した後、伝動により、前記前ライト４４と、前記後ライト１４と、前記左ライト１２と、前記右ライト２０とが再び駆動されて回転し、この時前記前ライト４４と、前記後ライト１４と、前記左ライト１２と、前記右ライト２０とが表示した色はそれぞれ緑、緑、赤、赤であると同時に、前記左扇形傘歯車３４が前記中下傘歯車３３と噛合し、伝動により、前記第一指示板６４と前記第二指示板７２とが駆動されて回転し、この時前記第一指示板６４に通行止めが表示され、前記第二指示板７２に通行が表示される。
４、前記右扇形傘歯車３９が四回目に前記右傘歯車４０と噛合した後、伝動により、前記前ライト４４と、前記後ライト１４と、前記左ライト１２と、前記右ライト２０とが再び駆動されて回転し、この時前記前ライト４４と、前記後ライト１４と、前記左ライト１２と、前記右ライト２０とが表示した色はそれぞれ黄色、黄色、赤、赤であり、前記第一指示板６４に通行止めが表示され、前記第二指示板７２に通行が表示される。
５、上記１〜４の動作を繰り返し、前記揺動棒４２を揺動させる時間間隔を制御することで、秩序良く車と通行人に指示を与えることができる。
【００２６】
本交通整理システムの有益効果は：本交通整理システムは交通信号機の原理に基づき、異なった色の信号で交通整理を行い、非常時に交通信号機が役を果たさないことを有効に解決し、車と通行人の安全を保障し、交通整理に大量な人力を節約し、交通巡視員の体力労働の量を減らし、移動装置が加えられた場合、本交通整理システムはどこまでも便利に移動できる。
【００２７】
以上の方式で、当業者は本願発明の範囲内に作動方式によって各種な変化を加えることができる。
【要約】      （修正有）【課題】非常時用応急交通整理システムを提供する。【解決手段】非常時用応急交通整理システムは、本体１０を含み、本体の中の上方には上空間１１が設けられ、本体の中部には中空間２５が設けられ、本体の下方には下空間４３が設けられ、上空間の前後左右内壁の中にはそれぞれ前内空間と、後内空間と、左内空間と、右内空間とが設けられる。前内空間と、後内空間と、左内空間と、右内空間とにはそれぞれ前ライトと、後ライト１４と、左ライト１２と、右ライト２０とが回転できるように設けられる。前ライトと、後ライトと、左ライトと、右ライトとが円柱型であり、前ライトと、後ライトと、左ライトと、右ライトとの円周面は赤色部分と、黄色部分、緑色部分とに分けられている。【選択図】図１【図１】
0006718095.tif 000002
【図２】
0006718095.tif 000003
【図３】
0006718095.tif 000004
【図４】
0006718095.tif 000005
【図５】
0006718095.tif 000006